(57)【要約】【課題】本発明は、黒いＯＳＤ信号のような特定の画像を表示する領域を有効に活用できる通信装置を提供することを目的とする。【解決手段】レコーダ１００は、タブレット２００から映像コンテンツに含まれる映像の表示位置を示す映像位置情報を受信する無線通信モジュール１７０と、無線通信モジュール１７０により受信された映像位置情報に基づいて、映像コンテンツと特定の画像データとを合成し、映像データを生成するマイコン１３０と、マイコン１３０により生成された映像データをタブレット２００に送信する送信部と、を備える。【選択図】図１
2015084004.tif 000002
【特許請求の範囲】
【請求項１】
外部機器から映像コンテンツに含まれる映像の表示位置を示す映像位置情報を受信する受信部と、
前記受信部により受信された映像位置情報に基づいて、映像コンテンツと特定の画像データとを合成し、映像データを生成する生成部と、
前記生成部により生成された映像データを前記外部機器に送信する送信部と、を備える、
通信装置。
【請求項２】
前記受信部は、前記外部機器から前記映像コンテンツに含まれる字幕の表示位置を示す字幕位置情報を受信し、
前記生成部は、前記受信部により受信された映像位置情報、及び字幕位置情報に基づいて、映像コンテンツと特定の画像データとを合成し、映像データを生成する、
請求項1に記載の通信装置。
【請求項３】
外部機器から映像コンテンツに含まれる映像の表示位置を示す映像位置情報を受信し、
前記受信した映像位置情報に基づいて、映像コンテンツと特定の画像データとを合成し、映像データを生成し、
前記生成した映像データを前記外部機器に送信する、
通信方法。
【発明の詳細な説明】
【技術分野】
【０００１】
本発明は通信装置に関し、特に、外部機器に対して映像データを送信する通信装置に関する。
【背景技術】
【０００２】
特許文献１は、背景技術として、液晶テレビジョンを開示する。この液晶テレビジョンは、アスペクト比４：３の画面にアスペクト比１６：９の映像を表示するときに上下に黒いマスク部分などのＯＳＤ信号を重畳する。これにより、この液晶テレビジョンは、アスペクト比４：３の画面にアスペクト比１６：９の映像を表示する際に、映像が縦長になる事態を回避できる。
【先行技術文献】
【特許文献】
【０００３】
【特許文献１】特開２００７−２２８１６７号公報
【発明の概要】
【発明が解決しようとする課題】
【０００４】
しかしながら、上記特許文献１に開示されている液晶テレビジョンは、縮小した画面の上下に黒いマスク部分のＯＳＤ信号を単に重畳するだけである。従って、黒いマスク部分のＯＳＤ信号が重畳されている領域は何らの情報も持たないこととなる。結果、黒いマスク部分のＯＳＤ信号が重畳される領域は無駄となってしまう。
【０００５】
本発明は、黒いＯＳＤ信号のような特定の画像を表示する領域を有効に活用できる通信装置を提供することを目的とする。
【課題を解決するための手段】
【０００６】
上記課題を解決するために、本発明にかかる通信装置は、外部機器から映像コンテンツに含まれる映像の表示位置を示す映像位置情報を受信する受信部と、受信部により受信された映像位置情報に基づいて、映像コンテンツと特定の画像データとを合成し、映像データを生成する生成部と、生成部により生成された映像データを外部機器に送信する送信部と、を備える。
【発明の効果】
【０００７】
本発明によれば、黒いＯＳＤ信号のような特定の画像を表示する領域を有効に活用できる通信装置を提供できる。
【図面の簡単な説明】
【０００８】
【図１】システムの全体構成を示す模式図
【図２】レコーダ１００の構成を示すブロック図
【図３】タブレット２００の構成を示すブロック図
【図４】映像データの送信動作を示すフローチャート
【図５】タブレット２００における録画番組一覧の表示例を示す模式図
【図６】映像の解像度変換について説明するための模式図
【図７】タブレット２００の操作と生成される映像との関係を説明するための模式図
【発明を実施するための形態】
【０００９】
本発明をレコーダに適用した実施の形態１について図面を用いて説明する。
１．実施の形態１
１−１．概要
本実施の形態にかかるレコーダ１００が組み込まれたシステムの全体構成について図１を用いて説明する。図１は、システムの全体構成を示す模式図である。
【００１０】
レコーダ１００は、テレビ３００とＨＤＭＩケーブル等で接続されている。レコーダ１００は、タブレット２００と無線通信を行うことで、無線接続できる。テレビ３００が有する画面のアスペクト比は、１６：９である。レコーダ１００は、内部のＨＤＤ１４０やＢＤにアスペクト比１６：９の画像を記憶していることが多い。一方、タブレット２００が有する画面のアスペクト比は、４：３である。レコーダ１００は、アスペクト比が１６：９である映像をタブレット２００に送信する際に、映像を縮小し、上下にレターボックス（黒帯）を合成することでアスペクト比を４：３に変換した後に送信する。
【００１１】
本実施の形態にかかるレコーダ１００は、映像コンテンツに含まれる映像の表示位置、映像コンテンツに含まれる字幕の表示位置についてタブレット２００から指示を受け付ける。これにより、レコーダ１００は、レターボックスのような特定の画像を表示する領域を有効に活用した映像をタブレット２００に送信できる。
【００１２】
以下、本実施の形態にかかるレコーダ１００、及びタブレット２００の構成、レコーダ１００の動作について詳細に説明する。
【００１３】
１−２．レコーダ１００の構成
レコーダ１００の構成について図２を用いて説明する。図２は、レコーダ１００の構成を示すブロック図である。レコーダ１００は、チューナ１１０により受信した番組放送に対して、マイコン１３０により各種処理を施すことによって番組データを生成し、生成した番組データをＨＤＤ１４０やＢＤドライブ１８０内のＢＤに記録する。レコーダ１００は、ＨＤＤ１４０に記憶している番組データやＢＤに記憶されているデータをＨＤＭＩ１５０や無線通信モジュール１７０を介して外部機器に送信する。以下、各構成の詳細について説明する。
【００１４】
チューナ１１０は、アンテナを介して受信した電波のうち、使用者が選局しているチャンネルの電波を抽出する。チューナ１１０は、抽出した電波に基づいて、マイコン１３０が処理可能なデジタルデータを生成する。
【００１５】
リモコン受光部１２０は、リモコンから送信される赤外線またはＲＦ波に変調された制御信号を受信する。例えば、リモコン受光部１２０は、電源ＯＮ／ＯＦＦ、チャンネル切替、録画開始／停止等の制御信号を受信する。リモコン受光部１２０は、受信した制御信号をマイコン１３０が解釈できるデジタル信号に変換する。
【００１６】
マイコン１３０は、レコーダ１００全体を制御する制御モジュールである。マイコン１３０は、ＳＯＣ（Ｓｙｓｔｅｍ  Ｏｎ  Ｃｈｉｐ）で構成される。従って、マイコン１３０は、ＣＰＵ、メモリ、データ信号処理回路を一体として構成される。
【００１７】
ＨＤＤ１４０は、動画像データ等を記憶する記憶装置である。ＨＤＤ１４０は、チューナ１１０を介して受信した番組放送を示す番組データ等を記憶する。
【００１８】
ＨＤＭＩ１５０は、レコーダ１００とテレビ３００等の外部機器とを接続するインターフェースである。レコーダ１００は、ＨＤＭＩ１５０を介してＨＤＤ１４０に記憶されている番組放送が示す番組データ等を外部機器に対して出力する。
【００１９】
無線通信モジュール１７０は、無線ＬＡＮ通信可能な通信モジュールである。無線通信モジュール１７０は、無線ＬＡＮ通信の国際標準規格である「ＩＥＥＥ８０２．１１」規格に準拠している。無線通信モジュール１７０は、アクセスポイントを介して外部機器等とＩＰ（Ｉｎｔｅｒｎｅｔ  Ｐｒｏｔｏｃｏｌ）により通信できる。
【００２０】
ＢＤドライブ１８０は、ＢＤにデータを記録したり、ＢＤに記憶されているデータを読み出したりするドライブである。
【００２１】
１−３．タブレット２００の構成
タブレット２００の構成について図３を用いて説明する。図３は、タブレット２００の構成を示すブロック図である。タブレット２００は、モニタ２１０を介して使用者から指示を受け、無線通信モジュール２４０を介してレコーダ１００からデータを受信する。タブレット２００は、受信したデータが示す映像をモニタ２１０に表示する。以下、各構成の詳細について説明する。
【００２２】
モニタ２１０は、画像を表示できる表示モニタである。モニタ２１０はタッチパネル機能を備えている。従って、使用者は、モニタ２１０を介して、タブレット２００の操作を行うことができる。
【００２３】
マイコン２２０は、タブレット２００内の各モジュールを制御する制御モジュールである。
【００２４】
フラッシュメモリ２３０は、タブレット２００全体を制御する制御プログラムや無線通信モジュール２４０を介して受信したデータを記憶する記憶媒体である。
【００２５】
無線通信モジュール２４０は、無線ＬＡＮ通信可能な通信モジュールである。
【００２６】
１−４．タブレット２００に対する映像データの送信動作
タブレット２００に対する映像データの送信動作について図４〜７を用いて説明する。図４は、映像データの送信動作を示すフローチャートである。図５は、タブレット２００における録画番組一覧の表示例を示す模式図である。図６は、映像の解像度変換について説明するための模式図である。図７は、タブレット２００の操作と生成される映像との関係を説明するための模式図である。
【００２７】
レコーダ１００は、タブレット２００からの要求を受け付けるまで待機する（Ｓ１００）。待機状態において、ＨＤＤ１４０内に記憶している映像データの一覧情報の送信を要求する信号であり、かつタブレット２００のモニタ２１０の縦横の画素数情報を示す信号を受信すると（Ｓ１１０）、マイコン１３０は、タブレット２００に対して、ＨＤＤ１４０内に記憶している映像データの一覧情報を送信する（Ｓ１２０）。
【００２８】
レコーダ１００から映像データの一覧情報を受信すると、タブレット２００は、マイコン２２０により図５に示すような一覧画面を生成し、モニタ２１０に一覧画面を表示する。一覧画面を表示している状態で、タブレット２００は、使用者から何れかの映像データが選択されるまで待機する。使用者から何れかの映像データの選択を受け付けると、タブレット２００は、選択を受け付けた映像データの送信要求を示す信号をレコーダ１００に対して送信する。
【００２９】
ステップＳ１２０において、映像データの一覧情報を送信すると、マイコン１３０は、タブレット２００から映像データの送信要求を示す信号を受信するまで待機する（Ｓ１３０）。この信号を受信すると、マイコン１３０は、送信要求を受け付けた映像データの縦横の画素数と、信号が示すモニタ２１０の縦横の画素数とから生成すべきレターボックスのサイズ、映像データの大きさを算出する（Ｓ１４０）。
【００３０】
例えば、送信要求を受け付けた映像データの縦横の画素数が１０８０×１９２０であるとする（図６の上段に示す）。また、モニタ２１０の縦横の画素数が７６８×１０２４であるとする。この場合、マイコン１３０は、映像データの縦横の画素数を５７６×１０２４に縮小する（図６の下段に示す）。また、マイコン１３０は、レターボックスの縦横の画素数を９６×１０２４と算出する。
【００３１】
レターボックスのサイズ、映像データの大きさを算出すると、マイコン１３０は、算出した大きさに縮小した映像データ、算出した大きさに生成したレターボックス、及び字幕情報６２０を合成した映像を生成する（Ｓ１５０）（図６の下段に示すような映像を生成する）。合成映像を生成すると、マイコン１３０は、生成した合成映像を送信するよう無線通信モジュール１７０を制御する（Ｓ１６０）。
【００３２】
レコーダ１００から合成映像を受信すると、タブレット２００は、モニタ２１０に受信した映像を表示する。この状態で、タブレット２００は、映像コンテンツのうちの映像部分の表示位置、映像コンテンツのうちの字幕部分の表示位置について使用者から指示されるまで特に映像、字幕の表示位置を変更せず映像の表示を継続する。具体的には、使用者がモニタ２１０を指等でスライド操作することにより、映像及び字幕の表示位置を指示するまで、タブレット２００は映像、字幕の表示位置を変更せずに映像の表示を継続する。映像コンテンツのうちの映像部分の表示位置、映像コンテンツのうちの字幕部分の表示位置について使用者から指示を受け付けると、タブレット２００は、使用者によりタッチされた位置を示す座標位置の情報をレコーダ１００に送信する。
【００３３】
ステップＳ１６０において、合成した映像をタブレット２００に送信すると、マイコン１３０は、タブレット２００から映像の表示位置、字幕の表示位置に関しての指示を示す信号を受信するまで映像、字幕の合成位置を変更せずに映像の送信を継続する（Ｓ１７０）。映像及び字幕の表示位置に関しての指示を示す信号を受信すると、マイコン１３０は、指示された位置に映像と字幕とを合成し、さらに、大きさの変更されたレターボックスを合成した映像を生成する（Ｓ１８０）。マイコン１３０は、生成した映像を送信するよう無線通信モジュール１７０を制御する（Ｓ１８０）。
【００３４】
つまり、図７の左欄に示すように、使用者が映像コンテンツのうちの映像部分の位置を上側にスライド操作し、映像コンテンツのうちの字幕部分の位置を下側にスライド操作したとする。この場合には、タブレット２００は、映像部分のスライド操作位置及び字幕部分のスライド操作位置についてレコーダ１００に送信し、レコーダ１００は、受信した表示位置に映像と字幕とを合成した映像を生成し、生成した映像をタブレット２００に送信する。タブレット２００は、受信した映像を表示する。その結果、タブレット２００は、図７の右欄のような映像を表示できる。
【００３５】
このように、本実施の形態にかかるレコーダ１００は、タブレット２００から映像コンテンツに含まれる映像の表示位置を示す映像位置情報を受信する無線通信モジュール１７０を備える。また、レコーダ１００は、無線通信モジュール１７０により受信された映像位置情報に基づいて、映像コンテンツとレターボックスとを合成し、映像データを生成するマイコン１３０を備える。また、レコーダ１００における無線通信モジュール１７０は、マイコン１３０により生成された映像データをタブレット２００に送信する。これにより、レコーダ１００は、使用者がタブレット２００を介して映像と字幕との表示位置を指示した位置に映像と字幕とを合成した映像を生成できる。その結果、レターボックスのような意味を持たない画像の上に字幕を重畳したりすることで、外部機器の表示領域を有効活用できる。
【００３６】
２．他の実施の形態
以上、実施の形態１について説明したが、本発明はこれに限定されない。本発明は、他にも様々な変形例に適用できる。ここでは様々な変形例の一部について説明する。
【００３７】
実施の形態１においては、映像コンテンツのうちの映像の表示位置、及び映像コンテンツのうちの字幕の表示位置を使用者が指示することとした。しかしながら、必ずしもこのような構成である必要はない。例えば、使用者は映像及び字幕の何れか一方の表示位置のみ指示できるような構成であってもよいし、若しくは使用者が映像及び字幕の何れか一方の表示位置を指示すると他方の表示位置が自動的に変更されるような構成であってもよい。また、映像及び字幕の表示位置を使用者が同時に指示するような構成でもよい。この場合には、使用者が２本の指で映像領域、字幕領域をそれぞれ特定し、２本の指を同時にスライド操作することで、映像及び字幕の表示位置を変更するようにしてもよい。
【００３８】
また、実施の形態１においては、使用者は映像の表示位置をモニタ２１０の端部までしか行えないこととしているが必ずしもこのような構成とする必要はない。例えば、映像の表示位置がモニタ２１０の端部に到達した場合、それより先への移動操作を受け付けると、映像の大きさを徐々に小さくするような構成としてもよい。また、字幕の表示位置についても同様である。この場合には、字幕が縮小されすぎると見にくくなるので、字幕の縮小の下限を決定しておく必要がある。
【００３９】
また、実施の形態１においては、レターボックス内に字幕表示する際に、特に文字の色について言及していない。しかしながら、字幕の色が黒である場合には、レターボックスの色を白にする等の設定を使用者が選択できるようにしてもよいし、自動的に設定されるようにしてもよい。
【産業上の利用可能性】
【００４０】
本発明はＢＤレコーダ、ハードディスクレコーダ、パーソナルコンピュータ等の通信機能を有する装置に適用できる。
【符号の説明】
【００４１】
１００    レコーダ
１１０    チューナ
１２０    リモコン受光部
１３０    マイコン
１４０    ＨＤＤ
１５０    ＨＤＭＩ
１７０    無線通信モジュール
１８０    ＢＤドライブ
２００    タブレット
２１０    モニタ
２２０    マイコン
２３０    フラッシュメモリ
２４０    無線通信モジュール
３００    テレビ
【図１】
2015084004.tif 000003
【図２】
2015084004.tif 000004
【図３】
2015084004.tif 000005
【図４】
2015084004.tif 000006
【図５】
2015084004.tif 000007
【図６】
2015084004.tif 000008
【図７】
2015084004.tif 000009